(57)【要約】【課題】除毛部と光照射部とのいずれをも備えた装置において、除毛部の使用が不要な場合にも、光照射部の使い勝手を向上させることができる光照射型美容装置を提供する。【解決手段】光照射型美容装置は、除毛部３と、この除毛部３に並設されて生体表面９に光照射を行う光照射部４とを備えた光照射型美容装置である。除毛部３は、前進後退自在に設けられ且つ可動刃３００及び固定刃３０１を有するトリマー刃３０と、トリマー刃３０を前進後退させる操作手段３１と、固定刃３０１に沿って可動刃３００を駆動させる駆動装置３２とを有する。駆動装置３２は、操作手段３１によりトリマー刃３０が後退すると停止するよう構成されている。【選択図】図１
2012196380.tif 000002
【特許請求の範囲】
【請求項１】
除毛部と、この除毛部に並設されて生体表面に光照射を行う光照射部とを備えた光照射型美容装置であって、
前記除毛部は、
前進後退自在に設けられ且つ可動刃及び固定刃を有するトリマー刃と、
前記トリマー刃を前進後退させる操作手段と、
前記固定刃に沿って前記可動刃を駆動させる駆動装置と
を有し、
前記駆動装置は、前記操作手段により前記トリマー刃が後退すると停止するよう構成されている
ことを特徴とする光照射型美容装置。
【請求項２】
前記光照射部が、前記トリマー刃の前進後退位置にかかわらず、光照射可能に構成されたものである
ことを特徴とする請求項１記載の光照射型美容装置。
【請求項３】
前記除毛部が取り付けられるフレーム部をさらに備え、
前記操作手段は、
前記フレーム部にスライド自在に設けられたレバーと、
前記レバーに設けられ且つ前記フレームを貫通してトリマー刃に連結される作動部と
を備え、
前記レバーのスライドに応じてトリマー刃が前進後退するものである
ことを特徴とする請求項１または請求項２のいずれかに記載の光照射型美容装置。
【請求項４】
前記光照射部が、光軸方向に移動自在に構成されると共に光進行方向の後方側の死点で発光するよう構成されており、
前記死点に位置する前記光照射部の前端と、前進端に位置する前記トリマー刃の前端とが略同一平面状に位置するものである
ことを特徴とする請求項１乃至請求項３のいずれか一項に記載の光照射型美容装置。
【発明の詳細な説明】
【技術分野】
【０００１】
本発明は、光照射型美容装置に関する。
【背景技術】
【０００２】
従来、除毛部と、生体表面に光照射を行う光照射部とを備えた光照射型美容装置が知られている（例えば特許文献１参照）。
【０００３】
この特許文献１記載の装置は、毛抜きアクチュエータと、この毛抜きアクチュエータに並設され且つ生体に光を照射する半導体レーザーダイオードとを備えている。この装置は、毛抜きアクチュエータによって生体表面から生えた毛を抜きながら、半導体レーザーダイオードによって皮膚にレーザー光を照射する。
【０００４】
この特許文献１記載の装置は、毛抜きアクチュエータが固定的に取り付けられており、常に半導体レーザーダイオードと一緒に使用される。
【先行技術文献】
【特許文献】
【０００５】
【特許文献１】特開２００２−３６０３３６号公報
【発明の概要】
【発明が解決しようとする課題】
【０００６】
ところで特許文献１記載の装置は、毛抜きアクチュエータと半導体レーザーダイオードとが、常に同時に使用されるものである。このため、毛が生えた生体表面に対する場合と同様に、仮に毛が生えていない生体表面に対しても、毛抜きアクチュエータを押し付けてしまうという問題があった。
【０００７】
本発明は、上記事情に鑑みてなされたものであり、その目的とするところは、除毛部と光照射部とのいずれをも備えた装置において、除毛部の使用が不要な場合にも、光照射部の使い勝手を向上させることができる光照射型美容装置を提供することにある。
【課題を解決するための手段】
【０００８】
本発明の光照射型美容装置は、除毛部と、この除毛部に並設されて生体表面に光照射を行う光照射部とを備えた光照射型美容装置であって、前記除毛部は、前進後退自在に設けられ且つ可動刃及び固定刃を有するトリマー刃と、前記トリマー刃を前進後退させる操作手段と、前記固定刃に沿って前記可動刃を駆動させる駆動装置とを有し、前記駆動装置は、前記操作手段により前記トリマー刃が後退すると停止するよう構成されていることを特徴とする。
【０００９】
またこの光照射型美容装置において、前記光照射部が、前記トリマー刃の前進後退位置にかかわらず、光照射可能に構成されたものであることが好ましい。
【００１０】
またこの光照射型美容装置において、前記除毛部が取り付けられるフレーム部をさらに備え、前記操作手段は、前記フレーム部にスライド自在に設けられたレバーと、前記レバーに設けられ且つ前記フレームを貫通してトリマー刃に連結される作動部とを備え、前記レバーのスライドに応じてトリマー刃が前進後退するものであることが好ましい。
【００１１】
またこの光照射型美容装置において、前記光照射部が、光軸方向に移動自在に構成されると共に光進行方向の後方側の死点で発光するよう構成されており、前記死点に位置する前記光照射部の前端と、前進端に位置する前記トリマー刃の前端とが略同一平面状に位置するものであることが好ましい。
【発明の効果】
【００１２】
本発明の光照射型美容装置によれば、除毛部と光照射部とのいずれをも備えた装置において、除毛部の使用が不要な場合にも、光照射部の使い勝手を向上させることができる。
【図面の簡単な説明】
【００１３】
【図１】本実施形態の美容装置本体の除毛部を前進させた状態の側断面図である。
【図２】本実施形態の美容装置本体の除毛部を後退させた状態の一部を省略した側断面図である。
【図３】（ａ）は本実施形態の光照射型美容装置の平面図であり（ｂ）は側面図である。
【図４】（ａ）は本実施形態の美容装置本体の正面図であり（ｂ）は美容装置本体の側面図である。
【図５】本実施形態のフレーム部・光照射部・除毛部の分解斜視図である。
【図６】本実施形態のフレーム部を背面側から見た分解斜視図である。
【図７】図４（ｂ）におけるＡ−Ａ線断面図である。
【図８】本実施形態の除毛部の詳細を示す要部側断面図である。
【図９】本実施形態の駆動装置や冷却装置の近傍を示す分解斜視図である。
【図１０】図４（ｂ）におけるＢ−Ｂ線断面図である。
【図１１】本実施形態の美容装置本体の分解斜視図である。
【図１２】本実施形態の光照射ユニット部の分解斜視図である。
【図１３】本実施形態の光照射型美容装置の使用状態を示す側面図である。
【発明を実施するための形態】
【００１４】
以下、本発明の実施形態について添付図面に基づいて説明する。なお、説明の便宜上、光照射部４からの光の光軸方向を上下方向（図１中矢印Ｃ）とし、特に生体表面９（図１３参照）側を上側として説明する。
【００１５】
本実施形態の光照射型美容装置は、人や動物といった生体の皮膚等（以下、生体表面９という）に生えた毛を除去した上で光照射することにより、生体表面９の毛の成長や再生を抑制する（以下、抑毛という）ものである。本実施形態の光照射型美容装置は、図３に示されるように、生体表面９に抑毛処理を施す美容装置本体１と、この美容装置本体１にケーブル７１を介して接続された電源装置７０とを備えている。本実施形態の光照射型美容装置は、コンデンサー等により構成された蓄電装置や制御装置が電源装置７０内に内蔵されており、美容装置本体１はコンパクトに形成されている。
【００１６】
美容装置本体１は、図１に示されるように、外郭を形成するケーシング１０と、ケーシング１０内に収容され且つ生体表面９から生えた毛を除毛する除毛部３と、ケーシング１０内に収容され且つ生体表面９に光照射を行なう光照射部４とを備えている。また美容装置本体１は、光照射部４を冷却するための冷却装置５をさらに備えている。
【００１７】
ケーシング１０は、図４に示されるように、下側程先細り形状となるよう構成されている。ケーシング１０は、側方に湾曲した弧状に形成されており、特に除毛部３が径内側に位置し且つ光照射部４が径外側に位置している。ケーシング１０は、当該ケーシング１０における下部及び中央部分を構成し且つ把持部１３を有する本体部１１と、当該ケーシング１０における上部を構成するフレーム部１２とにより構成されている。本体部１１の把持部１３は、ユーザーが片手で把持可能な程度の外径にて構成されている。フレーム部１２は、本体部１１に対して着脱自在に設けられている。
【００１８】
フレーム部１２は、下方が開口した有蓋箱形状にて主体が構成されている。フレーム部１２は、図５に示されるように、光照射部４が取り付けられる光照射部装着部１４と、除毛部３が取り付けられる除毛部装着部１５とを備えている。
【００１９】
光照射部装着部１４は、光照射部４を装着するための部分であり、特に遮光筒部４０を上下動自在に保持する。光照射部装着部１４は、上下方向に貫通する平面視長矩形状の取付開口１４１を有している。光照射部装着部１４は、図５，６に示されるように、当該光照射部装着部１４と除毛部装着部１５との間に位置する仕切壁１６と、この仕切壁１６に対向する縦壁１７とを備えている。この仕切壁１６と縦壁１７とは、遮光筒部４０の上下移動をガイドする一対のガイド面１８を構成する。このガイド面１８は、遮光筒部４０に設けられたガイド突起４０４の移動を案内するガイド溝１８１を有している。このガイド溝１８１は上下方向に長く形成されている。また光照射部装着部１４は、取付開口１４１の内周縁に、遮光筒部４０に設けられた係合部４０５と係合する被係合部１９を有している。この被係合部１９は、遮光筒部４０を所定の位置から上方へと移動しないよう規制する。
【００２０】
仕切壁１６は、図６に示されるように、フレーム部１２の端面部２２の裏面から下方に向けて突設されている。仕切壁１６は、光照射部装着部１４の取付開口１４１の内周縁と面一となるよう設けられている。仕切壁１６は、光照射部４と除毛部３との間に位置しており、除毛部３によりカットされた毛屑が光照射部４側へと進入するのを阻止する。
【００２１】
除毛部装着部１５は、除毛部３を構成するトリマー刃３０を上下動自在に収容する部分である。除毛部装着部１５は、図５に示されるように、上下方向に貫通する取付開口１５１を有している。除毛部装着部１５は、光照射部装着部１４に隣接配置されている。除毛部装着部１５の取付開口１５１は、細長いスリット形状となっており、その長手方向が光照射部装着部１４の取付開口１４１の長手方向と略平行している。
【００２２】
フレーム部１２は、側面に除毛部３のレバー３１０（詳細は後述する）を装着するためのレバー装着部２０を有している。このレバー装着部２０は、レバー３１０の作動部３１１を貫通するため内外に貫通した連通孔２１を有している。この連通孔２１は、上下方向に長い長孔により構成されている。レバー装着部２０には、レバー３１０が上下方向にスライド自在に取り付けられる。なお、除毛部３のレバー３１０については、後に詳述する。
【００２３】
フレーム部１２は、本体部１１に対して着脱自在に係合されている。フレーム部１２は、図７に示されるように、対向する側面にそれぞれ設けられた一対の係止部１４２を有している。この係止部１４２は、本体部１１に設けられた被係止部１１２に係合するよう構成されている。本体部１１の被係止部１１２は、外側方に向けて弾性的に付勢された解除部１１１に設けられており、ユーザーが解除部１１１を内方側に押圧すると、係止部１４２との係合状態を解除する。
【００２４】
除毛部３は、生体表面９から生えた毛を切断することで除毛する。本実施形態の除毛部３は、図１，２に示されるように、上下方向に前進後退自在なトリマー刃３０と、このトリマー刃３０を前進後退させる操作手段３１と、トリマー刃３０を駆動させる駆動装置３２とを備えている。
【００２５】
トリマー刃３０は、図５に示されるように、上下方向に直交する方向に長い直線状に形成された櫛状の固定刃３００と、この固定刃３００に沿って配設され且つ直線状に形成された櫛状の可動刃３０１とを備えている。トリマー刃３０は、図８に示されるように、固定刃３００と可動刃３０１とが重なるよう配置されており、可動刃３０１が生体表面９側に位置している。またトリマー刃３０は、可動刃３０１を固定刃３００側に弾性的に付勢するバネ３０２を有している。またトリマー刃３０は、この可動刃３０１を上方から覆うようにして、固定刃３００の長手方向の全長に亘って設けられたトリマーカバー３０３を有している。バネ３０２は、一端がトリマーカバー３０３に固設され、且つ他端が可動刃３０１に当接し、これにより可動刃３０１を固定刃３００側に付勢する。
【００２６】
トリマー刃３０は、固定刃３００と可動刃３０１とトリマーカバー３０３とを支持固定するトリマー基台３０４を備えている。このトリマー基台３０４は、図５に示されるように、フレーム部１２の側面に沿って上下に長く形成されている。トリマー基台３０４は、レバー３１０から突設された作動部３１１に連結固定される連結部３０５と、トリマー刃３０の長手方向の略中央に設けられて可動刃３０１を固定刃３００に沿って往復移動させる駆動片３０６とを備えている。
【００２７】
本実施形態の連結部３０５は、嵌合孔３０７を有している。また駆動片３０６は、トリマー刃３０の長手方向と平行な方向に揺動するよう構成されており、揺動することで可動刃３０１を長手方向に往復動させる。本実施形態の駆動片３０６は、図１０に示されるような下方に開口した二股状片により構成されている。
【００２８】
本実施形態のトリマー刃３０は、上下方向にスライド自在となるよう構成されている。トリマー刃３０は、操作手段３１の上下動に追従してスライド移動するようになっている。
【００２９】
操作手段３１は、図５に示されるように、上下方向にスライド自在となるようフレーム部１２に設けられたレバー３１０と、レバー３１０背面からフレーム部１２内にまで突設された作動部３１１とを備えている。
【００３０】
レバー３１０は、正面視略矩形状をしており、その前面に指を引っ掛けることができる突条部３１２が設けられている。レバー３１０は、フレーム部１２のレバー装着部２０にスライド自在に取り付けられる。
【００３１】
作動部３１１は、フレーム部１２のレバー装着部２０に設けられた連通孔２１に挿通され、トリマー基台３０４の連結部３０５に接続される。本実施形態の作動部３１１は、レバー３１０背面から突設された突起部により構成されている。本実施形態の作動部３１１は、フレーム部１２の連通孔２１を介して、トリマー基台３０４の嵌合孔３０７に嵌合接続される。
【００３２】
ユーザーがレバー３１０を上方に移動させると、レバー３１０に突設された作動部３１１が上昇し、それに追従してトリマー基台３０４部が上昇し、トリマー刃３０が前進する（図１参照）。トリマー刃３０が前進端に位置している状態でユーザーがレバー３１０を下方に移動させると、レバー３１０に突設された作動部３１１が下降し、それに追従してトリマー基台３０４が下降し、トリマー刃３０が後退する（図２参照）。トリマー刃３０が最も後退した位置（死点）では、図２のように、トリマー刃３０の先端が、フレーム部１２の端面部２２と略同レベルか、又はそれよりも低い位置になるよう構成されている。
【００３３】
駆動装置３２は、図９，１０に示されるように、駆動源となるモータ３２０と、モータ３２０の回転軸とトリマー基台３０４の駆動片３０６との間に設けられてモータ３２０の駆動力を当該駆動片３０６に伝達する揺動機構部３２１とを備えている。また駆動装置３２は、モータ３２０及び揺動機構部３２１を内部に収容するモータ基台部３２６をさらに備えている。
【００３４】
揺動機構部３２１は、モータ３２０の回転軸に固設される偏芯カム３２２と、略中心がモータ基台部３２６に軸支され且つ偏芯カム３２２によってトリマー刃３０の長手方向と平行な方向に揺動する揺動レバー３２３とを備えている。揺動レバー３２３は、偏芯カム３２２に接続されるカム接続部３２４と、カム接続部３２４とは反対側に位置する作用部３２５とを有している。カム接続部３２４は、下方側及び側方の一方側が開口している。カム接続部３２４は、図１０に示されるように、トリマー刃３０の長手方向と同方向における両端部分が、偏芯カム３２２との当接部となっている。また、当該長手方向に直角な方向（つまり上下方向）においては、図２等に示されるように、偏芯カム３２２との間に間隙を有しており、偏芯カム３２２が当接しないようになっている。
【００３５】
作用部３２５は、トリマー刃３０の駆動片３０６に接続される。作用部３２５は、中心軸３２７廻りに揺動することで、トリマー刃３０の可動刃３０１を往復動させる。なお作用部３２５は、トリマー刃３０が前進端に位置する状態では、図１０のように、当該作用部３２５と二股状の駆動片３０６の股部との間に隙間を有している。これにより、ユーザーがトリマー刃３０を後退させた場合に、トリマー基台３０４が、作用部３２５に邪魔されずに下降することができるようになっている。
【００３６】
モータ基台部３２６は、ケーシング１０内に固設されたファン基台部５１に固設され、モータ３２０をケーシング１０内部に固定する。
【００３７】
モータ３２０が回転すると偏芯カム３２２が回転し、当該偏芯カム３２２が、カム接続部３２４を、トリマー刃３０の長手方向と平行な方向に押圧する。するとカム接続部３２４は中心軸３２７廻りに揺動し、それに追従して、作用部３２５が中心軸３２７廻りに揺動する。作用部３２５は、トリマー基台３０４の駆動片３０６を揺動させ、トリマー刃３０の可動刃３０１を往復動させる。これによりトリマー刃３０は、固定刃３００の長手方向に沿って可動刃３０１を往復動させ、生体表面９から生えた毛を切断する。
【００３８】
このような構成の除毛部３には、光照射部４が隣接配置されている。
【００３９】
光照射部４は、生体表面９に光照射を行うことで生体表面９に対して抑毛効果を及ぼす機能を有している。本実施形態の光照射部４は、美容装置本体１の移動方向に対して、除毛部３の後方側に位置しており、除毛部３により除毛された直後の生体表面９に光照射を行なうことができるようになっている。
【００４０】
光照射部４は、図１１に示されるように、上下方向に移動自在な遮光筒部４０と、この遮光筒部４０内に収容され且つ内部に発光体４４を有する照射ユニット部４２とで構成されている。
【００４１】
遮光筒部４０は、発光体４４の発光時に、その上面が生体表面９に押し付けられて当該生体表面９と密着することで、発光体４４からの光が外部に漏れるのを防止する。遮光筒部４０は、フレーム部１２の光照射部装着部１４に、上下方向にスライド移動自在に装着される。本実施形態の遮光筒部４０は上方側に付勢されている。遮光筒部４０は、最も下方側に位置した時点で発光体４４を発光させるようになっており、すなわち発光スイッチを兼ねている（後に詳述する）。遮光筒部４０は、図５に示されるように、上方側に照射開口４０２を有し且つ下方が開口する角筒状に形成されている。遮光筒部４０は、上面が生体当接面４０１となっている。
【００４２】
遮光筒部４０は、照射開口４０２に透明部材４１が嵌め込まれており、当該透明部材４１により照射開口４０２が覆われている。本実施形態の透明部材４１は、透過率の高い透明な板材により構成されている。透明部材４１は、その上面が、遮光筒部４０の生体当接面４０１よりも凹没している。透明部材４１は、照射ユニット部４２と生体表面９との間に位置するようになっており、発光体４４からの発光により高温となる照射ユニット部４２が生体表面９に接触するのを防止する。そのうえ透明部材４１は、除毛部３によりカットされた毛屑が照射ユニット部４２のレンズ４８に付着するのを防止する。
【００４３】
遮光筒部４０は、その側面に内外を貫通する通気連通口４０３が穿設されている。この通気連通口４０３は、冷却装置５としての送風ファン５０から送られた空気を外部に排出するための開口である。通気開口４３２は、図４に示されるように、遮光筒部４０がフレーム部１２に装着され且つ遮光筒部４０の自然状態では、フレーム部１２の端面部２２よりも上方に位置している。
【００４４】
遮光筒部４０は、光照射部装着部１４のガイド面１８に形成されたガイド溝１８１内に嵌入するガイド突起４０４が、側方に向けて複数箇所に突設されている。さらに遮光筒部４０は、光照射部装着部１４に設けられた被係合部１９に係合する係合部４０５を有している。
【００４５】
遮光筒部４０は上下方向に往復動自在となっており、下方側の死点（光進行方向に対して後方側に位置する死点）に位置した状態では、生体当接面４０１が、前進端に位置するトリマー刃３０の先端に対し、略同一平面上に位置するようになっている（図１３参照）。
【００４６】
照射ユニット部４２は、図１２に示されるように、ケース部４３内に各種部品が内蔵されており、一つのユニットを構成する。光照射部４は、発光体収容部材４３０と底面部材４３１とからなるケース部４３と、このケース部４３内に収容され且つ光源となる発光体４４とを備えている。また光照射部４は、発光体４４から発光された光を生体表面９側へ反射・集光するリフレクター４５と、発光体４４及びリフレクター４５を保持する光源基台部４６とをさらに備えている。さらに光照射部４は、リフレクター４５と光源基台部４６との間に、発光体４４やリフレクター４５を弾性的に保持する弾性部材４７が介装されている。
【００４７】
発光体収容部材４３０は、発光体４４からの光を通す照射窓４３３を上面に有し且つ下方側が開口する角筒状体により構成されている。この照射窓４３３は、長矩形状に形成されており、その開口を塞ぐようにして透明なレンズ４８が設けられている。本実施形態のレンズ４８は、発光体４４から照射される光のうち、紫外線等の不要な波長をカットする光学フィルターの機能も有している。レンズ４８は、光源基台部４６の上方に装着されており、照射窓４３３外縁の下面に当接した状態で設置されている。
【００４８】
発光体収容部材４３０は、照射窓４３３の外縁部に、ケース部４３内外を貫通する通気開口４３２が穿設されている。本実施形態の通気開口４３２は、照射窓４３３の長手方向に沿って設けられたスリット状の開口であり、送風ファン５０から送られた空気をケース部４３内から遮光筒部４０内に排出する。発光体収容部材４３０の下方開口には、底面部材４３１が設置される。
【００４９】
この底面部材４３１は、発光体収容部材４３０の下方開口を閉塞するよう取り付けられる。底面部材４３１は、冷却装置５から送風された空気をケース部４３内に導入する格子状の連通孔４３４を有している。この連通孔４３４は、ケース部４３内外を連通するよう貫設されている。
【００５０】
発光体４４は、光照射部４の光源であり、直線状で且つ管球状のキセノンフラッシュランプにより構成されている。発光体４４は、その長手方向が、可動刃３０１の往復方向と略平行となるよう配置されている。発光体４４は、電源装置７０に電気的に接続されており、遮光筒部４０が下方側に押し込まれて死点（すなわち下死点）に至ると、照射スイッチがＯＮされて、高電圧が印加される。発光体４４は、高電圧が印加されると、発光時間の極めて短いパルス光の照射を行なう。また発光体４４は、遮光筒部４０が下方側に移動して死点に位置したままの状態が保持されると、一定の間隔でパルス光を発光し続ける。
【００５１】
リフレクター４５は、断面略Ｕ字状をしており、その開口が照射窓４３３に臨むよう配置されている。リフレクター４５は、発光体４４から発せられた光を高効率で反射・集光し、照射窓４３３に向けて導光する。リフレクター４５には、屈曲した部分の奥部に発光体４４が配置される。
【００５２】
照射ユニット部４２は、図１に示されるように、フレーム部１２内の光照射部装着部１４に装着され固定される。照射ユニット部４２は除毛部３に隣接配置されており、除毛部３と照射ユニット部４２との間に仕切壁１６が介装される。照射ユニット部４２は、その上面と遮光筒部４０の生体当接面４０１の裏面との間に、光軸方向における遮光筒部４０の移動代のための間隙８が形成されるよう設置される。この照射ユニット部４２はフレーム部１２に対して固定されているのに対し、照射ユニット部４２を上方から覆う遮光筒部４０は、光軸方向にスライド移動自在となっている。
【００５３】
このような構成の光照射部４の下方側には、当該光照射部４に隣接するようにして冷却装置５が設けられている。
【００５４】
冷却装置５は、光照射部４を冷却するための装置であり、送風ファン５０により構成されている。本実施形態の冷却装置５は、本体部１１の上端部に固設されており、当該本体部１１にフレーム部１２が装着されると、光照射部４に対して隣接配置される。冷却装置５は、図１１に示されるように、本体部１１の上開口を覆うよう固設されるファン基台部５１と、このファン基台部５１に固設される送風ファン５０とを備えている。
【００５５】
ファン基台部５１は、図９に示されるように、基台部本体５２と、当該基台部本体５２の上方から取り付けられる覆設部５３とを備えている。基台部本体５２は、送風ファン５０を収容した状態で覆設部５３が上方から設置される。これにより送風ファン５０は、ファン基台部５１に固定される。
【００５６】
本体部１１にフレーム部１２が装着された状態で送風ファン５０が駆動すると、当該送風ファン５０は、本体部１１の側面に設けられた給気口１１０から空気を導入する。給気口１１０から導入された空気は、送風ファン５０を経て、ケース部４３の連通孔４３４から通気開口４３２へと流通する。このとき流通する空気は、高温となった発光体４４とレンズ４８とに接触しながら流通し、熱交換を行なう。熱交換して熱を受けた空気は、通気開口４３２を介して遮光筒部４０内に流通し、遮光筒部４０の通気連通口４０３を介して外部に排出される。
【００５７】
またファン基台部５１の基台部本体５２には、図９に示されるように、光照射部４の発光体４４を発光させるための光照射部用スイッチ５４と、除毛部３の可動刃３０１の駆動を停止させる除毛部用スイッチ５５とが設けられている。この光照射部用スイッチ５４と除毛部用スイッチ５５とは、いずれも回路基板５６上に配置されており、当該回路基板５６及びケーブル７１を介して電源装置７０に電気的に接続されている。
【００５８】
ファン基台部５１の覆設部５３には、遮光筒部４０を上方に押圧する一対の押圧片５７が設けられている。この押圧片５７は、遮光筒部４０の押圧突起４０６の下端に当接する当接部５７０と、当接部５７０が下方に押し下げられることで光照射部用スイッチ５４を押し下げるスイッチ押圧部５７１と、上方側への抜け止めとなる係止爪５７２とを備えている。押圧片５７は、コイルばね５７３により上方側に向けて付勢されている。
【００５９】
遮光筒部４０が下方に移動すると、遮光筒部４０の押圧突起４０６は、付勢力に抗しながら押圧片５７を押下する。さらに遮光筒部４０が押し下げられ、死点にまで到達すると、押圧片５７のスイッチ押圧部５７１が光照射部用スイッチ５４をＯＮさせる。すると発光体４４に高電圧が印加され、発光体４４からパルス状の光が発光される。また遮光筒部４０は、押圧片５７の付勢力により、上方側へ付勢されているため、生体当接面４０１に生体表面９が当接していない自然状態では、光進行方向前方側の死点に位置する。
【００６０】
さらにファン基台部５１の覆設部５３には、除毛部用スイッチ５５を押下する除毛部押圧片５８が設けられている。この除毛部押圧片５８は、トリマー基台３０４の下端部に押下されることで、除毛部用スイッチ５５を押下する。除毛部押圧片５８は、押圧片５７と同様、コイルばね５７３により上方側に向けて付勢されている。
【００６１】
ユーザーがレバー３１０を下方にスライドさせ、トリマー刃３０を後退させると、トリマー基台３０４は、付勢力に抗しながら除毛部押圧片５８を押し下げる。レバー３１０が最も下方に位置すると、除毛部押圧片５８が除毛部用スイッチ５５を押下し、除毛部３の駆動装置３２を停止させる。
【００６２】
このように本実施形態の光照射型美容装置は、光照射を行なうためのスイッチと、除毛部３の駆動装置３２を停止させるためのスイッチが別のスイッチによって構成されている。したがって、トリマー刃３０の前進後退位置に拘らず、光照射部４による発光が可能となるよう構成されている。これにより例えば、トリマー刃３０が後退してフレーム部１２内に没入した状態でも、光照射部４は生体表面９に光照射を行なうことができる。
【００６３】
このように本実施形態の光照射型美容装置は、除毛部３が、前進後退自在に設けられ且つ可動刃３０１及び固定刃３００を有するトリマー刃３０と、前記トリマー刃３０を前進後退させる操作手段３１とを備えている。このためユーザーは、除毛部３を使用しない場合、トリマー刃３０を後退させて、光照射部４のみを使用することができる。これにより、毛が生えていない生体表面９に対しても、トリマー刃３０を押し当てずに光照射を行なうことができる。
【００６４】
しかも本実施形態の光照射型美容装置は、除毛部３が、トリマー刃３０の後退に連動して停止するよう構成されているため、ユーザーは、除毛部３の使用を止める際に、操作手段３１によりトリマー刃３０を後退させるだけで、除毛部３を停止させることができる。これにより、操作手段３１によってトリマー刃３０を後退させる前に、除毛部３の駆動をＯＦＦにするという動作が不要となる。この結果、使い勝手が向上するだけでなく、除毛部３の停止操作を忘れることも防止することができる。
【００６５】
また本実施形態の光照射型美容装置は、光照射部４が、トリマー刃３０の前進後退位置に拘らず光照射可能に構成されているため、光照射しながら、トリマー刃３０の前進後退操作を行なうことも可能である。
【００６６】
また本実施形態の光照射型美容装置は、フレーム部１２にスライド自在に設けられたレバ３１０ーとトリマー刃３０とが連結され、レバー３１０のスライドに応じてトリマー刃３０が前進後退するものであるため、簡単な機構でトリマー刃３０を突没させることができる。この機構の簡略化により、コストダウンを図ることができる。
【００６７】
また本実施形態の光照射型美容装置は、死点に位置する光照射部４の前端と、前進端に位置するトリマー刃３０の前端とが略同一平面状に位置するよう構成されている。このため、腕や足などといった生体表面９の面積が広い部分に対して、肌当たりをよくすることができる。しかもユーザーは、除毛しながらの光照射を簡単に行ないやすく、使い勝手が向上する。
【００６８】
なお、本実施形態の光照射部４は、発光体４４にキセノンフラッシュランプが用いられていたが、本発明の光照射部４はこのものに限定されない。
【００６９】
本実施形態の光照型美容射装置は、光軸方向を上下方向として説明したが、本発明においては、上下方向が限定されるものではない。
【符号の説明】
【００７０】
１      美容装置本体
１１    本体部
１２    フレーム部
１４    光照射部装着部
１５    除毛部装着部
１６    仕切壁
２０    レバー装着部
２２    端面部
３      除毛部
３０    トリマー刃
３００  固定刃
３０１  可動刃
３１    操作手段
３１０  レバー
３２    駆動装置
３２０  モータ
３２１  揺動機構部
４      光照射部
４０    遮光筒部
４０１  生体当接面
４０２  照射開口
４０３  通気連通口
４１    透明部材
４２    照射ユニット部
４３２  通気開口
４３３  照射窓
４４    発光体
４８    レンズ
５      冷却装置
５０    送風ファン
６      毛屑進入阻止部
６１    凹所
【図１】
2012196380.tif 000003
【図２】
2012196380.tif 000004
【図３】
2012196380.tif 000005
【図４】
2012196380.tif 000006
【図５】
2012196380.tif 000007
【図６】
2012196380.tif 000008
【図７】
2012196380.tif 000009
【図８】
2012196380.tif 000010
【図９】
2012196380.tif 000011
【図１０】
2012196380.tif 000012
【図１１】
2012196380.tif 000013
【図１２】
2012196380.tif 000014
【図１３】
2012196380.tif 000015